(57)【要約】【課題】  テーブルや机等の家具における天板に開閉可能なダクトカバーを備え、天板上面や近傍に配置した電気機器に配線コード類を接続する機能を備えた家具における配線装置を提供する。【解決手段】  テーブルや机等の家具における天板１の一部に設けた開口部９にダクトカバー１０を回動開閉可能に設けるとともに、該開口部の下方に配線空間を備え、ダクトカバーの下面に配線コード類Ｈを保持するフック部１１を備えた。フック部は、ダクトカバーの下面から所定間隔を設けて設置し、ダクトカバーの下面とフック部との間に配線コード類の端部に設けたコネクタＨ２を収容する収容空間２５を設けた。【選択図】        図９
2014144225.tif 000002
【特許請求の範囲】
【請求項１】
テーブルや机等の家具における天板の一部に設けた開口部にダクトカバーを回動開閉可能に設けるとともに、該開口部の下方に配線空間を備え、前記ダクトカバーの下面に配線コード類を保持するフック部を備えたことを特徴とする家具における配線装置。
【請求項２】
前記フック部は、前記ダクトカバーの下面から所定間隔を設けて設置し、該ダクトカバーの下面とフック部との間に配線コード類の端部に設けたコネクタを収容する収容空間を設けてなる請求項１記載の家具における配線装置。
【請求項３】
前記フック部は、前記ダクトカバーの回動中心線に近い位置に設けた単数又は複数の略Ｕ字状の係合溝からなり、該係合溝は、前記ダクトカバーの遊端側に開放し、配線コード類のコード部を包持し且つ配線コード類の端部に設けたコネクタを係止することが可能な横幅を有してなる請求項１又は２記載の家具における配線装置。
【請求項４】
前記天板の開口部の下方に該開口部と連通する縦ダクトを設け、該縦ダクトの内壁に電源を供給するテーブルタップを定着してなる請求項１〜３何れか１項に記載の家具における配線装置。
【発明の詳細な説明】
【技術分野】
【０００１】
本発明は、家具における配線装置に係わり、更に詳しくはテーブルや机等の家具における天板に開閉可能なダクトカバーを備え、天板上面や近傍に配置した電気機器に配線コード類を接続する機能を備えた配線装置に関するものである。
【背景技術】
【０００２】
従来からテーブルや机等の家具において、天板の一部に開口部を設け、該開口部の下方に配線ダクトを設けるとともに、該開口部に開閉可能にダクトカバーを設けた配線機能を備えた構造のものは各種提供されている。
【０００３】
例えば、特許文献１には、机の天板の後部に手挿入口を設け、該手挿入口の下方に接続口ボックスを設けるとともに、該手挿入口の開口部に開閉可能に蓋を設け、更に接続口ボックスに近接して配線ボックスと配線ダクトを配置し、前記接続口ボックスと配線ボックスを仕切る区画板に電源用のコンセントや通信用のモジュラジャックを設けた構造が開示されている。そして、天板上面に載置した電子機器を使用する際に、前記蓋を開けて手挿入口を開放し、電子機器に接続された電源コードや信号ケーブル等の配線コード類の接続端子を手挿入口から差し入れて、前記コンセントとモジュラジャックに接続するのである。
【０００４】
また、特許文献２には、テーブルの脚体の内部に設けた配線空間から引き出した配線コード類を天板の下面に沿って配線可能となし、更に天板の下面に横設した支持部材に前後に貫通する挿通孔を形成し、配線コード類の端部に設けたコネクタを挿通させ得る内径を有した筒状のコネクタカバーを介して、前記挿通孔から配線コード類を引き出し可能とした配線装置が開示されている。ここで、前記コネクタカバーは、前記挿通孔に隙間なく挿着させる円筒状の挿入体と該挿入体の一端に一体的に設けた矩形板状のカバー体と、前記挿入体の他端に嵌めるリング状の抜止め部材とから構成されている。前記コネクタカバーのカバー体には、ケーブルを挿通させかつコネクタを挿通させない幅の貫通溝が形成され、配線コード類を天板上面の電気機器に接続しない時には、天板下へ押し込んで、前記コネクタカバーのカバー体にコネクトを当止した状態に格納するのである。
【０００５】
しかし、特許文献１に記載のものは、手挿入口の内部でコンセントとモジュラジャックに電子機器の配線コード類の接続端子を接続する作業は、狭い空間で見え難い位置にあるコンセントやモジュラジャックの差込口を確認して行わなければならず、煩わしいものである。また、特許文献２に記載のものは、天板下面に沿って押し込んだ配線コード類の余剰部分を格納するため、脚体の内部空間に押し込む構造の場合には、天板下方の窮屈な空間に体を入れて作業しなければならず、また天板下面に備えたリールに巻き取る構造の場合には、コスト高となる。
【先行技術文献】
【特許文献】
【０００６】
【特許文献１】特開２００４−０００６３１号公報
【特許文献２】特開２０００−１６６６５７号公報
【発明の概要】
【発明が解決しようとする課題】
【０００７】
そこで、本発明が前述の状況に鑑み、解決しようとするところは、テーブルや机等の家具における天板に開閉可能なダクトカバーを備え、天板上面や近傍に配置した電気機器に配線コード類を接続する機能を備えた家具における配線装置を提供する点にある。
【課題を解決するための手段】
【０００８】
本発明は、前述の課題解決のために、テーブルや机等の家具における天板の一部に設けた開口部にダクトカバーを回動開閉可能に設けるとともに、該開口部の下方に配線空間を備え、前記ダクトカバーの下面に配線コード類を保持するフック部を備えたことを特徴とする家具における配線装置を構成した（請求項１）。
【０００９】
ここで、前記フック部は、前記ダクトカバーの下面から所定間隔を設けて設置し、該ダクトカバーの下面とフック部との間に配線コード類の端部に設けたコネクタを収容する収容空間を設けてなることが好ましい（請求項２）。
【００１０】
そして、前記フック部は、前記ダクトカバーの回動中心線に近い位置に設けた単数又は複数の略Ｕ字状の係合溝からなり、該係合溝は、前記ダクトカバーの遊端側に開放し、配線コード類のコード部を包持し且つ配線コード類の端部に設けたコネクタを係止することが可能な横幅を有してなることがより好ましい（請求項３）。
【００１１】
更に、前記天板の開口部の下方に該開口部と連通する縦ダクトを設け、該縦ダクトの内壁に電源を供給するテーブルタップを定着してなることがより好ましい（請求項４）。
【発明の効果】
【００１２】
以上にしてなる請求項１に係る発明の家具における配線装置は、テーブルや机等の家具における天板の一部に設けた開口部にダクトカバーを回動開閉可能に設けるとともに、該開口部の下方に配線空間を備え、前記ダクトカバーの下面に配線コード類を保持するフック部を備えたので、配線コード類をダクトカバーの下方空間に収納し、ダクトカバーを閉止した状態でも、配線コード類が下方空間に落下することなく、ダクトカバーの下面のフック部に保持することができ、そしてダクトカバーを開けば天板の開口部から配線コード類が出現するので、容易に引き出すことができる。
【００１３】
請求項２によれば、記フック部は、前記ダクトカバーの下面から所定間隔を設けて設置し、該ダクトカバーの下面とフック部との間に配線コード類の端部に設けたコネクタを収容する収容空間を設けてなるので、配線コード類をフック部に保持した状態で、その端部に設けたコネクタを収容空間に安定且つ整然に収容することができ、他の配線コード類と絡まることがない。
【００１４】
請求項３によれば、前記フック部は、前記ダクトカバーの回動中心線に近い位置に設けた単数又は複数の略Ｕ字状の係合溝からなり、該係合溝は、前記ダクトカバーの遊端側に開放し、配線コード類のコード部を包持し且つ配線コード類の端部に設けたコネクタを係止することが可能な横幅を有してなるので、フック部に配線コード類を保持するには、ダクトカバーを立起状態に開放し、前記開口部内で天板上面と略同じ高さ位置で、コード部を上向き開放した係合溝に挿入するとともに、コネクタをフック部に係止するだけの簡単な作業で良く、また配線コード類をフック部から外して天板上面に引き出して、電気機器に接続することも簡単にできる。
【００１５】
請求項４によれば、前記天板の開口部の下方に該開口部と連通する縦ダクトを設け、該縦ダクトの内壁に電源を供給するテーブルタップを定着してなるので、天板上面や天板近傍に設置した電気機器に接続した電源コードのプラグを、テーブルタップのコンセントに接続して使用することができるとともに、携帯情報端末などの専用電源コードの一端のコネクタ部分を前記フック部に保持するとともに、他端のＡＣアダプターのプラグをテーブルタップのコンセントに接続して置くことができる。
【図面の簡単な説明】
【００１６】
【図１】本発明の配線装置を適用した机と収納キャビネットの組合せ家具を示す斜視図である。
【図２】同じく机と収納キャビネットの組合せ家具の斜視図である。
【図３】同じく部分断面で示した正面図である。
【図４】同じく縦断側面図である。
【図５】同じく部分縦断側面図である。
【図６】本発明の要部の拡大縦断面図である。
【図７】同じく要部の分解斜視図である。
【図８】同じくダクトカバーを閉じた状態の部分拡大底面図である。
【図９】同じくダクトカバーを開いた状態の部分拡大斜視図である。
【発明を実施するための形態】
【００１７】
次に、添付図面に示した実施形態に基づき、本発明を更に詳細に説明する。図１及び図２は、本発明の配線装置を適用した机と収納キャビネットの組合せ家具を示し、図３〜図５は内部構造を示し、図６〜図９は本発明の要部を示し、図中符号１は天板、２は脚部、３は収納キャビネット、４はモニター、５はノートパソコンを示している。
【００１８】
本実施形態の机と収納キャビネットの組合せ家具は、天板１の一端部を脚部２で支持するとともに、天板１の他端部を収納キャビネット３の上面板６の一部に重なるように配置して該上面板６で支持し、平面視において前記天板１の少なくとも前後一側と側方に前記上面板６が露出し、前記天板１の側方に段落ち状態で露出した前記収納キャビネット３の上面板６を、モニターを載置可能なモニター載置部６Ａとした。ここで、前記脚部２がキャビネットであっても良い。本実施形態では、前記脚部２の内側にキャビネットワゴン７を配置している例を示している。
【００１９】
ここで、前記天板１は横長の長方形であり、前記収納キャビネット３は縦長の長方形であり、前記天板１の端部が収納キャビネット３の上面板６の奥行幅の半分より若干狭い部分に重なり、この重なった部分で天板１の奥行き方向の両側部を支持台８，８で上面板６に連結している。また、図３及び図４に示すように、前記天板１と収納キャビネット３の上面板６との間に段差があり、この段差の存在により、前記モニター載置部６Ａの高さが低く抑えられ、該モニター載置部６Ａに載置したモニターの支持脚を目立たなくすることができるとともに、大型のモニターでも画面の位置を座った状態で見やすい適度な高さに設定することが可能である。
【００２０】
そして、図１、図２、図６〜図９に示すように、前記上面板６と重なる天板１の端部に開口部９を設けるとともに、該開口部９に回動開閉可能なダクトカバー１０を回動開閉可能に設けるとともに、該開口部９の下方に配線空間を備え、前記ダクトカバー１０の下面に配線コード類Ｈを保持するフック部１１を備えている。前記開口部９は、前記天板１の一端部に開放的に設け、前記ダクトカバー１０は側縁部を開口部９内の開放側の端部に回動可能に取付けている。本実施形態では、前記天板１の一端部に開口部９とダクトカバー１０を設けたが、その位置は任意である。
【００２１】
そして、前記収納キャビネット３は、図２〜図５に示すように、上面板６の下方に間隔を置いて棚板１２を設け、該棚板１２の下方に引出し１３，１３を設け、前記上面板６と棚板１２間にスチール製の縦ダクト１４を設けてモニター４の荷重を該縦ダクト１４で支持し、前記上面板６が撓まないようにしている。
【００２２】
更に詳しく、前記収納キャビネット３の内部の配線構造を説明する。図２〜図５に示すように、前記収納キャビネット３は、両側板１５，１５の上端に前記上面板６を渡設するとともに、両側板１５，１５の下端部の前後端に下連結杆１６，１６を渡設し、前記上面板６の下方に間隔をおいて前記棚板１２を渡設し、前記縦ダクト１４に対応する前記棚板１２と下連結杆１６，１６との間に間隔を置いて２枚の仕切板１７，１７を立設し、両仕切板１７，１７の間を配線空間１８としている。前記側板１５と仕切板１７の間にはそれぞれ前記引出し１３を設けている。
【００２３】
図４及び図５に示すように、前記縦ダクト１４に対応する前記上面板６には挿通口１９を前記開口部９と対向させて形成している。また、前記棚板１２に前記縦ダクト１４に連通する挿通孔２０を形成し、更に少なくとも一方の前記仕切板１７の奥部で前記引出し１３と干渉しない位置に、側方へ連通する側孔２１を形成している。更に、前記側孔２１を形成した仕切板１７と側板１５の奥部の上下中間位置には、背面板２２と間隔を隔てて保持板２３を渡設している。そして、床面から引き出した配線コード類Ｈを前記収納キャビネット３の底面部に引き込み、前記保持板２３の背後を迂回させて前記仕切板１７の側孔２１に通し、更に前記配線空間１８から棚板１２の挿通孔２０を通して縦ダクト１４へ導き、それから上面板６に形成した挿通口１９を通して前記縦ダクト１４の内壁にマグネットで吸着させたテーブルタップ２４に接続する。ＬＡＮケーブル等の通信用の配線コード類Ｈも、同様に配線して端部に接続した端子を前記縦ダクト１４の内壁に定着する。
【００２４】
次に、本発明の詳細を図６〜図９に基づき説明する。前記フック部１１は、前記ダクトカバー１０の下面から所定間隔を設けて設置し、該ダクトカバー１０の下面とフック部１１との間に配線コード類Ｈの端部に設けたコネクタＨ２を収容する収容空間２５を設けている。更に、前記フック部１１は、前記ダクトカバー１０の回動中心線に近い位置に設けた単数又は複数の略Ｕ字状の係合溝２６，…からなり、該係合溝２６は、前記ダクトカバー１０の遊端側に開放し、配線コード類Ｈのコード部Ｈ１を包持し且つ配線コード類Ｈの端部に設けたコネクタＨ２を係止することが可能な横幅を有し、該係合溝２６の溝縁部には対向して突起２７，２７を突設して、前記コード部Ｈ１が容易に抜けないようにしている。本実施形態では、前記係合溝２６を３つ設け、中央部の係合溝２６の横幅は他のものより若干広く設定し、太い配線コード類Ｈを保持できるようにしている。
【００２５】
更に詳しくは、前記ダクトカバー１０は、図６及び図７に示すように、スチール板を折曲形成して作製したカバー本体２８と、前記フック部１１を一体形成した合成樹脂製の受部材２９とを組み合わせて構成している。前記カバー本体２８は、前記開口部９の内形状より若干小さな形状の表面板３０の一端部を裏面側へ直角に折曲して端面板３１を形成し、該端面板３１の下端を他端側、つまり遊端側に直角に折曲して底面板３２を形成し、該底面板３２の両端部を表面板３０に接近する方向に直角に切り起こして軸受板３３，３３を平行に形成している。それぞれの前記軸受板３３には軸孔３４を穿設している。また、前記底面板３２には、遊端側に解放した平面視Ｕ字形の切欠部３５，…を、前記係合溝２６，…に合わせた位置に、各係合溝２６よりも一回り大きく設定して形成している。前記受部材２９は、両端部に前記軸受板３３，３３を受け入れる嵌合部３６，３６を形成するとともに、該嵌合部３６，３６の外側に軸受ブッシュ３７，３７を嵌合する軸受部３８，３８を形成し、両嵌合部３６，３６の間には、前記カバー本体２８の底面板３２を接合するとともに、前記係合溝２６，…を形成したフック部１１を形成し、更に該フック部１１の反対側には前記端面板３１に接合する立壁３９を形成している。前記受部材２９のフック部１１の下面には、前記カバー本体２８の底面板３２を係合する同一形状の凹部４０を形成している。
【００２６】
そして、前記受部材２９の軸受部３８，３８に軸受ブッシュ３７，３７を嵌合した状態で、前記カバー本体２８に前方から嵌合して両軸受板３３，３３を嵌合部３６，３６に受け入れる。ここで、前記カバー本体２８の表面板３０と、前記受部材２９のフック部１１の間には、前記収容空間２５が形成され、該収容空間２５は前記嵌合部３６，３６の内側面と立壁３９とで囲まれている。
【００２７】
前記ダクトカバー１０は、図６〜図９に示すように、端部側の両側部を支持金具４１，４１で前記天板１の開口部９に回動開閉可能に取付ける。前記支持金具４１は、前記天板１の下面と開口部９の内壁面に接合する取付板４２と垂直板４３とからなる断面略Ｌ字状の部材であり、前記垂直板４３には支軸４４が直角に内向きに突設している。前記垂直板４３の前部には、水平状態のダクトカバー１０の表面板３０の下面を当止する第１ストッパー片４５と、後部の前記支軸４４の下方には、立起状態のダクトカバー１０の端面板３１を当止する第２ストッパー片４６を内向きに折曲形成している。実際には、前記第１ストッパー片４５に合成樹脂製の緩衝部材４７を外嵌して前記ダクトカバー１０の表面板３０の下面を当止する。また、前記ダクトカバー１０が垂直状態から若干オーバーハングした立起状態で第２ストッパー片４６に端面板３１が当止して安定状態で開放する。
【００２８】
そして、前記支持金具４１の支軸４４を、前記ダクトカバー１０の受部材２９に嵌着した軸受ブッシュ３７と前記カバー本体２８の軸受板３３の軸孔３４に同時に挿入して回動可能に連結した状態で、該支持金具４１の取付板４２と垂直板４３を前記天板１の下面と開口部９の内壁面に接合して、該取付板４２を天板１の下面にネジ止めして取付ける。ここで、前記取付板４２には、ネジ４８を挿通する取付孔４９を形成するとともに、その前後の上面に位置決めのための凸部５０，５０をプレス成形している。尚、前記天板１の下面の所定位置には、前記凸部５０を嵌合する凹部を形成している。
【００２９】
このように構成した本発明の配線装置は、図１及び図９に示すように、前記ダクトカバー１０を立起状態に開放すると、前記フック部１１が前記開口部９の内部で前記天板１の上面と略同じ高さ位置に出現する。その状態で、前記開口部９の下方の縦ダクト１４の内部から引き出した配線コード類Ｈのコード部Ｈ１を、前記フック部１１を構成する係合溝２６に開放側から挿入するとともに、コネクタＨ２を収容空間２５に位置させてフック部１１の内側に係止する。前記配線コード類Ｈが携帯情報端末の電源コードである場合には、他端に小型のＡＣアダプターに備わったプラグを前記テーブルタップ２４のコンセントに接続する。それにより、天板１の上面で携帯情報端末を使用する際には、前記コネクタＨ２を持ってフック部１１から外して天板１の上面に引き出し、携帯情報端末に接続することができる。また、前記配線コード類ＨがＬＡＮケーブルである場合にもそのコネクタＨ２の部分を前記フック部１１に保持することができ、天板１の上面にノートパソコン５を置いて使用する場合には、前記同様にＬＡＮケーブルを取り出して接続することができる。その他の電源用、通信用の配線コード類Ｈの場合も同様である。また、前記ダクトカバー１０の下面側に設けたフック部１１に配線コード類Ｈを保持したまま、該ダクトカバー１０を回動させて水平状態に閉止しても、前記配線コード類Ｈがフック部１１から外れることがない。
【００３０】
前記モニター４に電力を供給する電源コードＤと映像信号を送る信号ケーブルＣは、図１に示すように、前記挿通口１９から縦ダクト１４に内部に引き込み、電源コードＤのプラグを縦ダクト１４の内壁に定着したテーブルタップ２４のコンセントに接続し、余剰部分は更に下方の配線空間１８に収容する。信号ケーブルＣも同様に縦ダクト１４の内壁に定着した通信用の配線コード類Ｈの端子に接続する。
【００３１】
前記開口部９は、前記天板１の前後中央部に設けてあり、該開口部９の側方に前記モニター載置部６Ａが位置しているので、該モニター載置部６Ａに載置したモニター４からの配線距離が短くなり、電源コードＤや信号ケーブルＣが天板１下に隠れるので露出が少なくなる。また、前記天板１の前後に着座した両者から見やすい位置にモニター４が置くことができる。尚、前記天板１から露出した収納キャビネット３の上面板６のどこにモニター４を置いても良いが、特に天板１の側方のモニター載置部６Ａにモニター４を載置すると、前記天板１の前後に着座した両者から見やすい場所にモニター４が位置する。
【符号の説明】
【００３２】
１  天板、                ２  脚部、
３  収納キャビネット、    ４  モニター、
５  ノートパソコン、      ６  上面板、
６Ａ  モニター載置部、    ７  キャビネットワゴン、
８  支持台、              ９  開口部、
１０  ダクトカバー、      １１  接続端子、
１２  棚板、              １３  引出し、
１４  縦ダクト、          １５  側板、
１６  下連結杆、          １７  仕切板、
１８  配線空間、          １９  挿通口、
２０  挿通孔、            ２１  側孔、
２２  背面板、            ２３  保持板、
２４  テーブルタップ、    ２５  収容空間、
２６  係合溝、            ２７  突起、
２８  カバー本体、        ２９  受部材、
３０  表面板、            ３１  端面板、
３２  底面板、            ３３  軸受板、
３４  軸孔、              ３５  切欠部、
３６  嵌合部、            ３７  軸受ブッシュ、
３８  軸受部、            ３９  立壁、
４０  凹部、              ４１  支持金具、
４２  取付板、            ４３  垂直板、
４４  支軸、              ４５  第１ストッパー片、
４６  第２ストッパー片、  ４７  緩衝部材、
４８  ネジ、              ４９  取付孔、
５０  凸部、
Ｃ  信号ケーブル、
Ｄ  電源コード、
Ｈ  配線コード類、
Ｈ１  コード部、
Ｈ２  コネクタ。
【図１】
2014144225.tif 000003
【図２】
2014144225.tif 000004
【図３】
2014144225.tif 000005
【図４】
2014144225.tif 000006
【図５】
2014144225.tif 000007
【図６】
2014144225.tif 000008
【図７】
2014144225.tif 000009
【図８】
2014144225.tif 000010
【図９】
2014144225.tif 000011